(57)【要約】【課題】伝送信号の通話信号の干渉及び感知器回線の外来ノイズの伝送信号への影響を最小限の構成で低減して信頼性を向上させる。【解決手段】受信機１からは伝送路２として、伝送線Ｓ、伝送コモン線ＳＣ、電源線Ｖ、電話線Ｔ、電源線Ｖと電話線Ｔに対するコモン線Ｃが引き出される。感知器用中継器３は、伝送回路部１３、ＣＰＵ回路部１４及び火災受信回路部１５で構成される。伝送回路部１３とＣＰＵ回路部１４との間は電気的に分離するフォトカプラ１６，１７で結合する。伝送回路部１３に受信機１からの伝送線Ｓと伝送コモン線ＳＣを接続し、ＣＰＵ回路部１４及び火災受信回路部１５側に受信機１からの電源線Ｖとコモン線Ｃを接続し、更に受信機１からの電話線Ｔを電話ジャック５の一端に接続すると共に電話ジャック５の他端からの電話コモン線ＴＣを受信機１からのコモン線Ｃに接続する。【選択図】　　　　　図２
2004094720.tif 000002
【特許請求の範囲】
【請求項１】
受信機から引き出された伝送路に対し複数の感知器用中継器を接続すると共に、前記感知器用中継器から引き出された感知器回線に火災感知器を接続し、前記受信機からの端末アドレスの指定により前記感知器用中継器の呼出しを行って前記火災感知器の火災検出信号を含む端末情報を収集して監視し、更に前記受信機から引き出された電話回線の端末側の電話ジャックに電話器を選択的に挿入接続して通話連絡を可能とする防災監視システムに於いて、
前記受信機からは前記伝送路として、伝送線、伝送コモン線、電源線、電話線、前記電源線と電話線に対するコモン線が引き出され、
前記感知器用中継器は、伝送回路部、ＣＰＵ回路部及び火災受信回路部で構成され、前記伝送回路部とＣＰＵ回路部との間を上り信号と下り信号を電気的に分離してやり取りするフォトカプラで結合し、前記伝送回路部に受信機からの伝送線と伝送コモン線を接続し、前記ＣＰＵ回路部及び火災受信回路部側に前記受信機からの電源線とコモン線を接続し、更に前記受信機からの電話線を前記電話ジャックの一端に接続すると共に電話ジャックの他端からの電話コモン線を前記受信機からのコモン線に接続したことを特徴とする防災監視システム。
【請求項２】
請求項１記載の防災監視システムに於いて、前記感知器用中継器の伝送回路部は、
前記伝送線と伝送コモン線の線路間に前記受信機から電源電圧に重畳して送信された呼出信号を受信増幅して前記フォトカプラの発光部を駆動する増幅器と、
前記呼出信号が重畳された前記伝送線と伝送コモン線の線路電圧を電源として定電流を出力する定電流回路と、
前記定電流回路の定電流出力を一定の電源電圧に変換して前記増幅器に印加する定電圧回路と、
を備えたことを特徴とする防災監視システム。
【請求項３】
請求項１記載の防災監視システムに於いて、
前記感知器用中継器は、前記感知器回線の断線を検出する断線検出回路を備え、
前記受信機は、端末側の前記電話ジャックに対する電話器の挿入接続を検出する挿入検出部と、前記挿入検出部の挿入検出出力が得られている間、前記感知器用中継器の断線検出回路の動作を停止させる制御信号を送信する伝送回路部とを備えたことを特徴とする防災監視システム。
【発明の詳細な説明】
【０００１】
【発明の属する技術分野】
本発明は、受信機からの端末アドレスの指定により感知器用中継器の呼出しを行って火災感知器の火災検出信号を含む端末情報を収集して監視し、更に受信機から引き出された電話回線の端末側の電話ジャックに電話器を選択的に挿入接続して通話連絡を可能とする防災監視システムに関する。
【０００２】
【従来の技術】
従来、Ｒ型として知られた受信機と端末の間でアドレス指定による呼出で防災情報を収集して監視する防災監視システムとしては、例えば図７のものがある。
【０００３】
図７において、１００は受信機であり、受信機１００から引き出された伝送路１０２に複数の感知器用中継器１０４を接続している。受信機１００からの伝送路１０２は、電源線Ｖ、伝送線Ｓ、伝送コモン線ＳＣ、電話線Ｔとなる。
【０００４】
感知器用中継器１０４からは複数の感知器線Ｌ１〜Ｌｎと感知器コモン線ＬＣが引き出され、各感知器線Ｌ１〜Ｌｎのそれぞれと感知器コモン線ＬＣとの間にオン、オフ型の火災感知器１０６を接続している。
【０００５】
更に感知器用中継器１０４が設置された端末側には電話ジャック１０８が設置されており、電話ジャック１０８の一端に受信機１００からの電話線Ｔを接続し、電話ジャック１０８の他端からの電話コモン線ＴＣは、感知器コモン線ＬＣに接続している。
【０００６】
受信機１００は感知器用中継器１０４に設定した端末アドレスを指定した呼出コマンドを送信し、自己アドレスとの一致を判別した感知器用中継器１０４から火災感知器１０６の火災検出信号を含む端末情報を収集して監視している。
【０００７】
また、端末の電話ジャック１０８に電話器１１０を挿入接続すると受信機１００で通話呼出が行われ、受信機１００に設けている電話ジャックに電話器を挿入接続すると、電話線Ｔと伝送コモン線ＳＣを経由した通話回路が形成され、受信機１００と端末側で通話連絡をとることができる。
【０００８】
図８は、図７の感知器用中継器一台を例にとって内部回路を受信機と共に示している。感知機用中継器１０４は、伝送回路部１１２，ＣＰＵ回路部１１４及び火災受信回路部１１６を備える。伝送回路部１１２は伝送線Ｓと伝送コモン線ＳＣの間に印加された電源電圧を受けて動作し、この電源電圧に重畳されて送信される呼出信号を受信増幅してＣＰＵ回路部１１４に入力している。またＣＰＵ回路部１１４からの応答信号を電流信号に変換して受信機１００に送信している。
【０００９】
ＣＰＵ回路部１１４は、呼出信号のアドレスと自己アドレスを比較して一致したときに、自己の呼出しと判別し、火災感知器１０６の火災検出信号を含む端末情報を受信機１００に応答信号として送信させる。
【００１０】
火災受信回路部１１６は、感知器線Ｌ１〜Ｌｎと感知器コモン線ＬＣの間に接続した火災感知器１０６の火災検出による発報電流を受信し、回線単位に火災検出信号をＣＰＵ回路部１１うに出力する。また火災受信回路部１１６は感知器線Ｌ１〜Ｌｎと感知器コモン線ＬＣの間の断線検出も行っている。
【００１１】
【特許文献１】
特開平４−３４８４９８号公報
【特許文献２】
特開平５−３３６２６１号公報
【特許文献３】
特開平９−８１８７０号公報
【００１２】
【発明が解決しようとする課題】
しかしながら、このような従来の防災監視システムにおいては、電源線Ｖ、伝送線Ｓ及び電話線Ｔに対するコモン線を全て伝送コモン線ＳＣとして一緒にしていたため、伝送線Ｓに対する伝送信号が電話の通話音に重畳し、非常に聞きづらかった。即ち、受信機と感知器用中継器の間のデータ伝送速度は、例えば１２００ｂｐｓと比較的低速であり、この伝送速度では伝送パルスの主成分が音声周波数帯域に存在しており、伝送信号が電話の通話音に重畳し、非常に聞きづらい。
【００１３】
また、感知器線Ｌ１〜Ｌｎに外来ノイズが誘起されると伝送コモン線ＳＣにも外来ノイズが誘起され、伝送にも悪影響を与える問題もあった。
【００１４】
この対策として図９のように、伝送コモン線ＳＣから電話線Ｔの電話コモンＴＣを分離することが考えられる。しかし、感知器線Ｌ１〜Ｌｎに誘起された外来ノイズの伝送コモン線ＳＣへの影響は依然として残っている。
【００１５】
別の他の対策として図１０のように、ＣＰＵ回路部１１４と火災受信回路部１１６の間をフォトカプラ１１８で電気的に分離することも考えられる。しかし、フォトカプラ１１８は、１つの感知器回線につき例えば４個必要となり、標準的な感知器回線の数を８回線とすると３２個ものフォトカプラが必要となり、回路規模が大きくなりすぎて採用することはできない。
【００１６】
また図７の従来システムにあっては、感知器用中継器１０４の火災受信回路部１１６に内蔵した断線検出回路により感知器線Ｌ１〜Ｌｎと感知器コモン線ＬＣの間の断線検出も行っており、この断線検出は線間電圧を所定の閾値電圧と比較して断線の有無を判断している。しかし、電話コモン線ＴＣと感知器コモンＬＣを共用しているため、電話器１１０を使用している際に通話音が感知器回線に重畳され、特に断線検出は閾値がシビアなため、通話音が断線検出機能に悪影響を与え、断線誤検出を起こす恐れがあった。
【００１７】
また、断線検出回路には、感知回線に加える電圧を変化させて断線検出を行っているものもあり、この場合には感知器回線の電圧変化によるノイズが通話音に重畳し、電話の通話音が聞き苦しい問題もあった。
【００１８】
本発明は、伝送信号の通話信号への影響及び感知器回線の外来ノイズの伝送信号への影響を最小限の設備および回路構成で低減して信頼性を向上させる防災監視システムを提供することを目的とする。
【００１９】
【課題を解決するための手段】
この目的を達成するため本発明は次のように構成する。
【００２０】
本発明は、受信機から引き出された伝送路に対し複数の感知器用中継器を接続すると共に、感知器用中継器から引き出された感知器回線に火災感知器を接続し、受信機からの端末アドレスの指定により感知器用中継器の呼出しを行って火災感知器の火災検出信号を含む端末情報を収集して監視し、更に受信機から引き出された電話回線の端末側の電話ジャックに電話器を選択的に挿入接続して通話連絡を可能とする防災監視システムを対象とする。
【００２１】
このような防災監視システムにつき、本発明は、受信機からは伝送路として、伝送線、伝送コモン線、電源線、電話線、電源線と電話線に対するコモン線が引き出され、感知器用中継器は、伝送回路部、ＣＰＵ回路部及び火災受信回路部で構成され、伝送回路部とＣＰＵ回路部との間を上り信号と下り信号を電気的に分離してやり取りするフォトカプラで結合し、伝送回路部に受信機からの伝送線と伝送コモン線を接続し、ＣＰＵ回路部及び火災受信回路部側に受信機からの電源線とコモン線を接続し、更に受信機からの電話線を電話ジャックの一端に接続すると共に電話ジャックの他端からの電話コモン線を受信機からのコモン線に接続したことを特徴とする。
【００２２】
このように感知器用中継器における伝送回路部とＣＰＵ回路部との間をフォトカプラで結合して電気的に分離することで、フォトカプラの数が最小限で済み、受信機に対する伝送線側と火災感知器に対する感知器回線側が分離されたことで、伝送信号が電話線に重畳されることはなく、外来ノイズが伝送信号に悪影響を与えることもない。
【００２３】
本発明の防災監視システムにあっては、受信機からの伝送回線に感知器用中継器が例えば数百台接続されている。このため受信機からの呼出信号の場合、呼出信号に同期して全ての感知器用中継器に分離用に設けたフォトカプラのＬＥＤが一斉に点灯し消灯する。このため伝送線の電流が大きく変化する。伝送線には線路抵抗があるため、これにより伝送線の電圧が変化する。この線路電圧の変動は伝送信号に同期しているため、伝送信号が変化したことになり、伝送の信頼性が損なわれる。
【００２４】
そこで本発明は、感知器用中継器の伝送回路部として、伝送線と伝送コモン線の間に受信機から電源電圧に重畳して送信された呼出信号を受信増幅してフォトカプラの発光部を駆動する増幅器と、呼出信号が重畳された伝送線と伝送コモン線の線間電圧を電源として定電流を出力する定電流回路と、定電流回路の定電流出力を一定の電源電圧に変換して増幅器に印加する定電圧回路とを備えたことを特徴とする。
【００２５】
これにより伝送回路部のフォトカプラを発光駆動する増幅器には、定電流回路から定電流出力に基づく一定の電源電圧が供給されるので、伝送信号によりフォトカプラのＬＥＤが点灯し消灯しても、伝送線の電流は変化せず、伝送信号に影響を与えない。
【００２６】
本発明の防災監視システムに於いて、感知器用中継器は、感知器回線の断線を検出する断線検出回路を備え、受信機は、端末側の電話ジャックに対する電話器の挿入接続を検出する挿入検出部と、挿入検出部の挿入検出出力が得られている間、感知器用中継器の断線検出回路の動作を停止させる制御信号を送信する伝送回路部とを備えたことを特徴とする。
【００２７】
このように電話ジャックに電話器が挿入されると、受信機で電話器挿入が検出されて感知器用中継器に感知器回線の断線検出動作を停止させることができ、電話による通話時に、通話音が断線検出機能に悪影響を与えることが無く、同時に、
断線検出のための感知器回線の電圧変化が通話音に悪影響を与えない。
【００２８】
【発明の実施の形態】
図１は本発明の防災監視システムのシステム構成の説明図である。図１において、本発明の防災監視システムは、管理人室などに設置された受信機１から警戒区域に対し伝送路２として、電源線Ｖ、伝送線Ｓ、伝送コモン線ＳＣ、電話線Ｔ及びコモン線Ｃを引き出している。ここでコモン線Ｃは、電源線Ｖと電話線Ｔに対するコモン線となる。
【００２９】
受信機１から引き出された伝送路２に対しては感知器用中継器３が複数台設置されている。本発明の防災監視システムにあっては、受信機１は感知器用中継器３に設定した端末アドレスの指定により呼出しなどのコマンドを送信して応答情報を受信しており、受信機１に対しては端末アドレスの設定可能数分だけの感知器用中継器３を接続することができ、大規模な防災監視システムにあっては受信機１に対し数百台といった感知器用中継器３が接続される。
【００３０】
感知器用中継器３からは複数の感知器線Ｌ１〜Ｌｎと感知器コモン線ＬＣが引き出され、各感知器線Ｌ１〜Ｌｎとの感知器コモン線ＬＣとの間にオン、オフ型の火災感知器４を接続している。
【００３１】
なお、この例では、感知器線Ｌ１〜Ｌｎのそれぞれに１台の火災感知器４を接続した場合を例にとっているが、必要に応じて複数台の火災感知器４が各感知器線ごとに接続される。また、感知器線Ｌ１〜Ｌｎの終端には断線検出のための終端器を接続するが、これは省略している。
【００３２】
一方、感知器用中継器３が設置されている警戒区域には、受信機１と現場との間で通話連絡を行うため電話ジャック５が設けられている。この電話ジャック５は具体的には、警戒区域に設置されている火災発信機などに設けられることになる。
【００３３】
電話ジャック５の一端には受信機１から引き出された電話線Ｔが接続され、電話ジャック５の他端は電話コモン線ＴＣにより感知器用中継器３から引き出された感知器コモン線ＬＣに接続され、この感知器コモン線ＬＣには受信機１から引き出されたコモン線Ｃが接続される。
【００３４】
ここで、複数の感知器用中継器３のうち一番上の感知器用中継器３に対応して設けた電話ジャック５に対し、電話器６をそのプラグにより挿入接続しており、電話ジャック５に対する電話器６の挿入接続により、受信機１からの電話線Ｔと電話コモン線ＴＣ、コモン線ＬＣ及び感知器コモン線Ｃを経由した通話回路が形成され、受信機１において通話呼出しが行われ、これに対し受信機１に設けている後の説明で明らかにする電話ジャックに対し電話器を挿入接続することで、端末側の電話器６との間で通話連絡を行うことができる。
【００３５】
図２は図１の感知器用中継器３の１つを取り出して受信機１と共に示した本発明の実施形態のブロック図である。図２において、受信機１には、監視制御部７、伝送回路部８、操作表示部９、電話回路部１０、電話ジャック１１が設けられる。電話ジャックに対しては、通話の際には電話器１２が挿入接続される。
【００３６】
一方、感知器用中継器３には伝送回路部１３、ＣＰＵ回路部１４及び火災受信回路部１５が設けられる。本発明の感知器用中継器３にあっては、伝送回路部１３とＣＰＵ回路部１４との間の下り信号と上り信号のやり取りについて、フォトカプラ１６，１７を設け、電気的に分離している。
【００３７】
フォトカプラ１６，１７は、発光部となるＬＥＤ１６ａ，１７ａと受光部となるフォトトランジスタ１６ｂ，１７ｂを備えている。フォトカプラ１６は伝送回路部１３からＣＰＵ回路部１４に信号を伝送する下り信号用である。またフォトカプラ１７はＣＰＵ回路部１４から伝送回路部１３に信号を伝送する上り信号用である。
【００３８】
伝送回路部１３に対する電源供給は、伝送線Ｓと伝送コモン線ＳＣにより行われている。このため伝送線Ｓと伝送コモン線Ｃの間には、電源電圧と同時に伝送回路部８からの下り信号及び伝送回路部１３からの上り信号が重畳されることになる。
【００３９】
ここで受信機１の伝送回路部８からの下り信号は、電源線を兼ねる伝送線Ｓと伝送コモン線ＳＣ間に電圧信号として重畳させている。また感知器用中継器３の伝送回路部１３から受信機１に対する上り信号は、伝送線Ｓと伝送コモン線ＳＣ間に流れる線路電流を変化させることで送信している。
【００４０】
受信機１の伝送回路部８は、通常監視状態にあっては、感知器用中継器３の端末アドレスを順番に指定した呼出コマンドを含む呼出信号を送信しており、この呼出信号は感知器用中継器３の伝送回路部１３で受信され、フォトカプラ１６を介してＣＰＵ回路部１４に入力される。
【００４１】
ＣＰＵ回路部１４は受信した呼出信号から呼出アドレスを抽出して、予め設定された自己アドレスと比較し、アドレス一致を判別したときに、そのときの感知器用中継器３における状態信号をフォトカプラ１７を介して伝送回路部１３に出力し、伝送回路部１３より線路電流の変化として受信機１に送出する。
【００４２】
受信機１からの呼出信号に対する感知器用中継器３の応答信号としては、例えば８ビットの応答データ中の特定のビットに対応して、正常、障害、火災などの検出状態を設定し、対応する状態ビットを立てることで応答信号を受信機に返す。
【００４３】
また火災検出時にあっては、受信機１に火災割込信号を送出し、受信機１において火災割込処理を行わせる。即ち受信機１は、感知器用中継器３から火災割込信号の受信すると、火災を検出している感知器用中継器３のアドレスを検索するためのアドレス検索処理を実行して、火災を検出した感知器用中継器３を特定し、特定したアドレスの感知器用中継器３に対し継続的に呼出信号を送って火災検出情報の応答を得るようになる。
【００４４】
更に受信機１の伝送回路部８にあっては、感知器用中継器３に対する呼出信号の転送と並行して、一定周期例えば１秒間隔で断線検出制御信号を送信しており、この断線検出制御信号を受けてＣＰＵ回路部１４は、火災受信回路部１５に感知器線Ｌ１〜Ｌｎと感知器コモン線ＬＣ間の断線検出動作を行わせる。この断線検出動作による検出結果は、断線検出処理が終了した後の次の呼出信号に対する応答信号により送り返される。
【００４５】
受信機１の監視制御部７は、伝送回路部８により感知器用中継器３との間の伝送制御で得られた感知器用中継器３に関する情報に基づいて、火災受信処理や障害発生処理などの監視制御を行う。この監視制御部７に対しては操作表示部９が設けられており、火災表示や障害表示に加え、それぞれの表示に必要な操作入力を行うようにしている。
【００４６】
更に電話回路部１０は、端末側の電話ジャック５に図示のように電話器６が挿入接続されると、このとき電話線Ｔとコモン線Ｃ間に流れる電流を検出して通話接続を認識し、監視制御部７に電話器挿入接続を通知して通話呼出動作を行わせる。
【００４７】
通話呼出しがあったならば、管理者は受信機１に設置されている電話器１２を取り出して電話ジャック１１に接続することで、端末側の電話器６との間で通話を行うことができる。
【００４８】
図３は図２の感知器用中継器３の各回路部の詳細を示した回路ブロック図である。図３において、伝送回路部１３には受信回路１８と送信回路１９が設けられている。受信回路１８にはフォトカプラ１６のＬＥＤ１６ａが設けられ、受信機から伝送された呼出信号によりＬＥＤ１６ａを発光駆動し、ＣＰＵ回路部１４側のフォトトランジスタ１６ｂをオンオフ制御する。
【００４９】
また送信回路１９にはフォトカプラ１７が設けられ、ＣＰＵ回路部１４からの応答信号によりＬＥＤ１７ａの発光駆動によるフォトトランジスタ１７ｂのオンオフを受けて伝送線Ｓと伝送コモン線ＳＣの線路電流を変化させることで、応答信号を受信機１に送出する。
【００５０】
ＣＰＵ回路部１４には、ＣＰＵ２０、受光回路２１、発光回路２２、メモリ２３、断線監視制御部２４、Ａ／Ｄ変換器２５及び定電圧回路３０が設けられている。このＣＰＵ回路部１４のＣＰＵ２０を含む各回路部は、受信機からの電源線Ｖで供給されたコモン線Ｃとの間の電源電圧を定電圧回路３０に入力し、例えばＣＰＵ２０に対しては５ボルトの電源電圧を出力し、一方、火災受信回路部１５側には例えば２０ボルトの電源電圧を出力している。
【００５１】
ＣＰＵ２０に対する呼出信号は、フォトカプラ１６を介して、受光ｔｅ￥２１で受光された信号が入力する。メモリ２３には感知器用中継器３に予め割り当てられた端末アドレスが保存されており、ＣＰＵ２０は呼出信号から抽出したアドレスとメモリ２３の受光アドレスとを比較して受信機の呼出しを判別する。
【００５２】
またＣＰＵ２０は、例えば１分間隔で受信機から断線検出制御信号を受信すると、断線監視制御部２４を駆動し、火災受信回路部１５側の感知器線Ｌ１〜Ｌｎごとに設けている回線受信回路２６に内蔵している断線検出回路の検出動作を行わせる。
【００５３】
またＣＰＵ２０はＡ／Ｄ変換器２５に、火災受信回路部１５に設けている感知器線Ｌ１〜Ｌｎの回線受信回路２６で検出した線路電流の変換電圧を並列的に入力しており、この入力を周期的にサンプリングしてＣＰＵ２０に取り込んでいる。
【００５４】
また断線監視制御部２４を動作させた断線検出タイミングにあっては、回線受信回路部２６の断線検出回路を動作させていることから、このときＡ／Ｄ変換器２５でサンプリングされる線路電流の変換電圧は断線検出状態を表わすことになる。
【００５５】
この図３の実施形態に示すような各回路部を備えた図２の感知器用中継器３を受信機１に接続した本発明の防災監視システムにあっては、感知器用中継器３において伝送回路部１３とＣＰＵ回路部１４の間がフォトカプラ１６，１７による結合で電気的に分離されているため、伝送線Ｓと伝送コモン線ＳＣ間に伝送される呼出信号（下り信号）及び応答信号（上り信号）の伝送パルスが例えば１２００ｂｐｉのデータ伝送速度となることで、電話器６における可聴周波数帯域にあっても、電気的には分離されているために伝送パルスによる伝送ノイズ音が電話器６，１２の通話音に重畳することはない。
【００５６】
逆に、火災受信回路部１５から引き出された感知器線Ｌ１〜Ｌｎに外来ノイズが重畳しても、感知器コモン線ＬＣと伝送コモン線ＳＣは電気的に分離されているため、感知器線Ｌ１〜Ｌｎに重畳した外来ノイズが伝送線Ｓと伝送コモン線ＳＣ側に重畳し、外来ノイズによって呼出信号や応答信号の伝送信号が悪影響を受けることはない。
【００５７】
更に、フォトカプラ１６，１７で伝送回路部１３とＣＰＵ回路部１４との間を電気的に分離したことに伴い、受信機１から電源線Ｖと電話線Ｔに対するコモン線Ｃを新たに引き出して感知器用中継器３におけるＣＰＵ回路部１４側に接続しているが、このコモン線Ｃについて、火災感知器４側については感知器コモン線ＬＣをそのまま使用している。
【００５８】
このため、新たに受信機から引き出したコモン線Ｃは感知器用中継器３までで済み、火災感知器４側への引出しは不要となり、受信機１からの伝送路２に新たにコモン線Ｃを１本追加することになっても、図９のように電話線Ｔに対し電話コモン線ＴＣを完全に分離した場合に比べると、増設に伴う規模及び工数を十分に低減でき、この結果、既存の火災報知設備であっても本発明を適用することが比較的容易にできる。
【００５９】
図４は図３の感知器用中継器３の伝送回路部１３に設けている受信回路１８の実施形態を示した回路図である。図２のような本発明の防災監視システムにあっては、感知器用中継器３の伝送回路部１３とＣＰＵ回路部１４との間にフォトカプラ１６，１７を設けたため、図１において受信機１に対し感知器用中継器３が例えば数百台接続されるような場合を考えると、受信機１からの呼出信号（下り信号）に同期して、伝送回路部１３に設けているフォトカプラ１６のＬＥＤ１６ａが呼出信号に同期して一斉に点灯、消灯することになる。
【００６０】
このような感知器用中継器３の伝送回路部１３におけるフォトカプラ用のＬＥＤの一斉動作により、伝送線Ｓと伝送コモン線ＳＣに流れる伝送電流が大きく変化することになる。そして伝送線Ｓと伝送コモン線ＳＣには線路抵抗があるため、この線路抵抗によりフォトカプラのＬＥＤが一斉にオン、オフすることによる電流変化で伝送線Ｓと伝送コモン線ＳＣ間の電圧が大きく変化する。
【００６１】
伝送回路部１３は伝送線Ｓと伝送コモン線ＳＣ間の電源電圧の供給を受けて動作しているため、フォトカプラのＬＥＤの一斉動作により線路電流が変化して線間電圧が変わると、電源電圧が大きく変動することとなり、伝送回路部１３に設けている増幅器などの動作特性が変化し、伝送信号を正しく受信できなくなることで、信頼性が損なわれる恐れがある。
【００６２】
そこで図４の伝送回路部１３の受信回路１８にあっては、ツェナーダイオードＺＤ１、抵抗Ｒ１，Ｒ２及びトランジスタＱ１により定電流回路を構成し、伝送線Ｓと伝送コモン線ＳＣ間の電圧がフォトカプラのＬＥＤの駆動でパルス的に変動しても、常にトランジスタＱ１のコレクタより一定電流を出力するようにしている。
【００６３】
トランジスタＱ１のコレクタには、定電圧回路として機能するツェナーダイオードＺＤ２が接続されており、定電流出力はツェナーダイオードＺＤ２のツェナー電圧で決まる一定電圧に変換され、増幅器２７に一定の電源電圧を供給することになる。
【００６４】
増幅器２７の入力には伝送線Ｓが接続されており、伝送線Ｓの電圧に重畳された呼出信号を増幅し、フォトカプラ１６のＬＥＤ１６ａを発光駆動している。このＬＥＤ１６ａの増幅器２７による発光駆動の際の消費電流は、トランジスタＱ１を含む定電流回路の定電流出力であり、このためＬＥＤ１６ａをオン、オフ駆動しても、伝送線Ｓと伝送コモン線ＳＣに流れる電流は一定電流である。
【００６５】
このため多数の感知器用中継器３で呼出信号に同期してフォトカプラのＬＥＤを発光駆動しても線路電流は変動せず、このため電源電圧として使用される線路電圧も変動がなく、受信回路１８の増幅器２７は安定して呼出信号を受信増幅して、フォトカプラ１６を介してＣＰＵ回路部１４に出力することができる。
【００６６】
図５は本発明による防災監視システムの他の実施形態であり、この実施形態にあっては、端末側の電話ジャックに対する電話器６の挿入接続を受信機側で検出した際に、感知器用中継器における感知器回線の断線検出動作を停止させるようにしたことを特徴とする。
【００６７】
図５の防災監視システムにおいて本発明にあっては、フォトカプラ１６，１７により電気的に分離されたＣＰＵ回路部１４及び火災受信回路部１５側の感知器コモン線ＬＣに電話ジャック５からの電話コモン線ＴＣを接続して共用しており、このため電話ジャック５に電話器６を挿入接続して受信機１の電話器１２との間で通話を行った場合、通話信号によって火災感知器４側の感知器コモン線ＬＣが変動し、感知器線Ｌ１〜Ｌｎの断線検出は厳格に閾値を設定して線路電流を判断しているため、通話信号による変動で断線誤検出を起こす恐れがある。
【００６８】
一方、通話側から見ると、図３に示したように、火災受信回路部１５に設けている回線受信回路２６はＣＰＵ回路部１４の断線監視制御部２４からの制御を受けて例えば１分間隔ごとに断線検出動作を行っている。この断線検出動作としては、通常監視状態における感知器線Ｌ１〜Ｌｎの線路電圧２０ボルトを例えば３５ボルトという高い電圧に変化させた状態で、終端器を流れる線路電流を監視し、断線の有無を判断するようにしている。
【００６９】
このため断線検出時にあっては、パルス的に感知器線Ｌ１〜Ｌｎの電圧が変化することで電話コモン線ＴＣを感知器コモン線ＬＣに共用していることで、断線検出動作に伴うノイズが通話信号に重畳し、通話が聞き取りづらいという問題を起こしている。
【００７０】
そこで図５の実施形態にあっては、受信機１に挿入検出部２８を設け、挿入検出部２８で端末の電話ジャック５に対する電話器６の挿入接続を検出した場合、伝送回路部８に挿入検出を通知し、これを受けて伝送回路部８は感知器用中継器３に対する断線検出制御信号の伝送を停止するようにしている。
【００７１】
このため、電話器６を電話ジャック５に接続して受信機１の電話器１２と通話を行っている間、伝送回路部８から感知器用中継器３に対し断線検出信号は出力されず、火災受信回路部１５において感知器線Ｌ１〜Ｌｎと感知器コモン線ＬＣ間の断線検出は行われないため、通話信号によって断線検出が悪影響を受けることがなく、同時に断線検出によるノイズがなくなることで、通話が聞き取りづらくなることを防ぐことができる。
【００７２】
図６は図５の受信機１の伝送回路部８における伝送処理のフローチャートである。伝送回路部８にあっては、ステップＳ１で端末アドレスを順次指定しながら呼出コマンドを入れた呼出信号を送信して、アドレス一致が得られた感知器用中継器３からの応答信号を受信している。
【００７３】
この呼出応答の間で一定時間例えば１秒を経過すると、ステップＳ２で断線検出タイミングが判別され、ステップＳ３で挿入検出部２８による電話器の挿入検出の有無をチェックする。電話器６の電話ジャック５に対する挿入がない場合には、ステップＳ４で断線検出制御信号を送信して、感知器用中継器３で断線検出動作を行わせる。
【００７４】
一方、断線検出タイミングで電話器の挿入接続を検出した場合には、ステップＳ４の断線試験信号の送信をスキップする。これによって、通話中は感知器用中継器３において断線検出動作は行われないことになる。
【００７５】
続いてステップＳ５で火災割込みをチェックしており、火災割込みを検出すると、ステップＳ６で火災検出中の感知器用中継器のアドレスを特定するアドレス検索処理を行う。そしてステップＳ７で、アドレスを特定した火災検出中の感知器用中継器に対し継続的に呼出信号を送ってデータ検出処理を行う。この伝送回路部８による火災検出データの検出処理を受けて、受信機１の監視制御部７は火災判断と火災警報表示を行うことになる。
【００７６】
ステップＳ８で、その後、火災が消火して監視員による復旧操作が行われると、火災復旧が判別され、一連の処理を終了し、ステップＳ９で受信機が停止でなければ、再びステップＳ１に戻り、火災監視を再開することになる。
【００７７】
なお上記の実施形態は、受信機１からの伝送路２に感知器用中継器３のみを設けた防災監視システムを例にとっているが、この感知器用中継器３以外に、必要に応じて感知器用中継器３と同じデータ伝送機能を備えたアナログ火災感知器や防火戸や防排煙などを制御する制御用中継器を接続するようにしてもよい。
【００７８】
また上記の実施形態にあっては、感知器用中継器３の火災受信回路部１５側に設ける断線検出回路として、受信機からの断線検出制御信号により周期的に駆動されて断線検出時に感知器回線の電圧を変化させて断線検出する例を示すものであったが、受信機１からの制御によらず継続的に断線監視を行っている断線検出回路であってもよい。
【００７９】
更に上記の実施形態にあっては、感知器用中継器側で火災を検出した際に受信機に対し火災割込みを行い、火災割込みに基づいて火災検出を行った感知器用中継器を特定するアドレス検索を行う場合を例にとっているが、これに限定されず、通常の呼出信号の応答に優先して火災信号を送出する方式であれば、適宜の伝送を行うことができる。
【００８０】
【発明の効果】
以上説明してきたように本発明によれば、受信機からの伝送路に接続している感知器用中継器における伝送回路とＣＰＵ回路との間をフォトカプラで結合して電気的に分離し、同時に受信機からの伝送路についても伝送回路側とＣＰＵ回路側を分離したことで、感知器用中継器に使用するフォトカプラの数が必要最小限で済み、受信機に対し伝送線側と感知器回線及び電話回線側が分離されたことで、伝送信号によるノイズが電話線に重畳することにより通話が聞き取りづらくなる問題を解消でき、同時に感知器回線側の外来ノイズが伝送線側に重畳しないことから、外来ノイズによる伝送信号に対する悪影響を防止できる。
【００８１】
また感知器用中継器の伝送回路部にフォトカプラを設けたことで、受信機に対し接続している多数の感知器用中継器に対する呼出信号でフォトカプラのＬＥＤが一斉に駆動されて、これにより伝送回線の線路電流が大きく変動し、伝送回路部の電源電圧となる線路電圧も変動するが、本発明にあっては、感知器用中継器の伝送回路部の受信側に定電流回路を設け、定電流回路の出力で受信増幅器に対する電源供給を行って呼出信号によりフォトカプラのＬＥＤを駆動するため、フォトカプラのＬＥＤを駆動しても受信機からの伝送回線の電流は変動せず、フォトカプラのＬＥＤの一斉駆動により伝送信号に悪影響を及ぼすことを防止できる。
【００８２】
更に本発明にあっては、端末側の電話ジャックに電話器が挿入されると、受信機側で電話器挿入接続を検出して感知器用中継器に感知器回線の断線検出動作を停止させるため、通話時の断線検出によるノイズの混入を防ぐと同時に、通話信号による感知器回線の電圧変動で、断線検出のためにシビアな閾値を設定している場合の断線誤検出を未然に防止することができる。
【図面の簡単な説明】
【図１】本発明の実施形態を示したシステム構成の説明図
【図２】図１の感知器用中継器の１つを例にとって受信機と共にその実施形態を示したブロック図
【図３】図２の感知器用中継器における各回路部の実施形態を示したブロック図
【図４】本発明の感知器用中継器における伝送回路部の受信回路の実施形態の回路図
【図５】電話器挿入を検出して感知器用中継器で断線検出を停止させる本発明の防災監視システムの説明図
【図６】図５の実施形態における受信機伝送回路部の処理動作のフローチャート
【図７】従来の防災監視システムの説明図
【図８】図７の感知器用中継器の１つを例にとって受信機と共に回路構成を示したブロック図
【図９】電話線と電話コモン線を分離した防災監視システムの説明図
【図１０】感知器用中継器でＣＰＵ回路部と火災受信回路部との間をフォトカプラにより電気的に分離した防災監視システムの説明図
【符号の説明】
１：受信機
２：伝送路
３：感知器用中継器
４：火災感知器
５，１１：電話ジャック
６，１２：電話器
７：監視制御部
８，１３：伝送回路部
９：操作表示部
１０：電話回路部
１４：ＣＰＵ回路部
１５：火災受信回路部
１６，１７：フォトカプラ
１６ａ，１７ａ：ＬＥＤ
１６ｂ，１７ｂ：フォトトランジスタ
１８：受信回路
１９：送信回路
２０：ＣＰＵ
２１：受光回路
２２：発光回路
２３：メモリ
２４：断線監視制御部
２５：Ａ／Ｄ変換器
２６：回線受信回路
２７：増幅器
２８：挿入検出部
３０：定電圧回路
【図１】
2004094720.tif 000003
【図２】
2004094720.tif 000004
【図３】
2004094720.tif 000005
【図４】
2004094720.tif 000006
【図５】
2004094720.tif 000007
【図６】
2004094720.tif 000008
【図７】
2004094720.tif 000009
【図８】
2004094720.tif 000010
【図９】
2004094720.tif 000011
【図１０】
2004094720.tif 000012